(57)【要約】　　　（修正有）【課題】栓の分解洗浄時に飲み口部材のコイルバネが紛失しない構成を提供する。【解決手段】飲み口の外周に設けられたバネ受け部に、コイルバネ３６の上端部を拡径させて係合させる係合突部３７を設けるとともに、コイルバネ３６の下端部を栓５の貫通部で支持することにより、飲み口部材に上向きの付勢力を与え、ナット４４とパッキン３４で飲み口部材３１の上下動を規制した。【選択図】　図２
2004097479.tif 000002
【特許請求の範囲】
【請求項１】
水筒本体の開口部に嵌合された栓に貫通部を設け、該貫通部に水筒本体内部に連通した飲み口部材を一定のストロークをもって上下動可能に挿通し、該飲み口部材の外周に嵌合したコイルばねの上端部を上記飲み口部材のばね受け部で支持するとともに、その下端部を上記貫通部で支持することにより該飲み口部材に突出方向の付勢力を付与し、上記栓に取付けた蓋によりその付勢力に抗して該飲み口部材を押し下げるようにした飲み口付き水筒において、上記飲み口部材のばね受け部に上記コイルばねの上端部の係合部を設けたことを特徴とする飲み口付き水筒。
【請求項２】
上記係合部が、上記ばね受け部の外周面に上記コイルばねの自然状態の内径より大きい係合突部であることを特徴とする請求項１に記載の飲み口付き水筒。
【請求項３】
上記係合突部と上記ばね受け部との間に、上記コイルばねの自然状態の内径より小さい径の係合溝を周方向に設けたことを特徴とする請求項２に記載の飲み口付き水筒。
【発明の詳細な説明】
【０００１】
【発明の属する技術分野】
この発明は、飲み口付き水筒に関し、特に飲み口部材の付勢用のコイルばねに関するものである。なお、飲み口付き水筒はストロー付き水筒と呼ばれる場合もある。
【０００２】
【従来の技術】
蓋付きの栓に出没自在の飲み口を設けた飲み口付き水筒が一般に普及している。この水筒は、一般に、水筒本体の開口部に嵌合された栓に貫通部を設け、該貫通部に飲み口部材を一定のストロークをもって上下動可能に挿通し、その飲み口部材の下端部にチューブを接続し、そのチューブの下端部を水筒本体内部に垂下している。上記の飲み口部材の外周に嵌合したコイルばねの上端部を上記飲み口部材のばね受け部で支持するとともに、その下端部を上記貫通部で支持することにより該飲み口部材に突出方向の付勢力を付与し、上記栓に取付けた蓋によりその付勢力に抗して該飲み口部材を没入させるようにしている。使用者が蓋を開けると、飲み口部材がコイルばねの付勢力により一定ストロークだけ上昇するので、使用者はその先端の飲み口に直接口をつけて水筒本体内部の飲料を吸引して飲むことができる（例えば、特許文献１、特許文献２参照）。
【０００３】
上記のコイルばねの下端部は、特許文献１のように、栓の貫通部において直接支持したものと、特許文献２のように、シールを兼ねたＯリングを介して栓の貫通部において支持したものがある。
【０００４】
【特許文献１】
特開２０００−１０６９４７号公報（段落００２７、図２から図４）
【特許文献２】
実公平６−６７３９号公報（第３欄４０〜４２行目、第１図、第３図）
【０００５】
【発明が解決しようとする課題】
上記のような水筒において、栓の部分は茶渋等が付着し不潔になり勝ちであるので、使用者においてしばしば分解洗浄することが推奨される。その分解洗浄の際に、前記特許文献１のように、コイルばねの下端部を栓の貫通部において直接支持したものにおいては、飲み口部材を栓から抜き出すと、コイルばねが飲み口部材から抜け出すことがあるので、紛失するおそれがある。また、特許文献２のように、コイルばねの下端部をＯリングで支持したものは、抜け出し難い利点はあるが、コイルばねを抜き出して洗浄する場合にはそのＯリングを外す必要があり、洗浄完了後に再びこれを元の状態に付け直す作業が必要になるため煩雑であり、またその際にＯリングを紛失するおそれがある。
【０００６】
そこで、この発明は、上記のコイルばねが分解の際に容易に外れることがなく、また、そのコイルばねを他の部材を用いることなく飲み口部材に装着することにより分解洗浄が容易にでき、また部品紛失の恐れのない飲み口付き水筒を提供することを課題とする。
【０００７】
【課題を解決するための手段】
上記の課題を解決するために、この発明は、水筒本体の開口部に嵌合された栓に貫通部を設け、該貫通部に上記水筒内部に連通した飲み口部材を一定のストロークをもって上下動可能に挿通し、該飲み口部材の外周に嵌合したコイルばねの上端部を上記飲み口部材のばね受け部で支持するとともに、その下端部を上記貫通部で支持することにより該飲み口部材に突出方向の付勢力を付与し、上記栓に取付けた蓋によりその付勢力に抗して該飲み口部材を押し下げるようにした飲み口付き水筒において、上記飲み口部材のばね受け部に上記コイルばねの上端部の係合部を設けた構成を採用した。
【０００８】
上記の構成によると、コイルばねの上端部が飲み口部材に係合されているので、該飲み口部材を栓から抜き出したとしても、コイルばねは容易には外れない。また、外す必要があるときはその係合を外すだけでよく、前記のＯリングのような他の部品は不要であるので部品紛失の恐れもない。
【０００９】
上記の係合部の構造としては、上記ばね受け部の外周面に上記コイルばねの自然状態の内径より大きい係合突部を設けた構成を採ることができる。この構成によると、コイルばねの上端部が弾性的に拡径された状態で係合突部に係合されるので、容易には外れないが、その弾力以上の力を加えて引っ張ると容易に外すことができる。
【００１０】
なお、上記係合突部と上記ばね受け部との間に、上記コイルばねの自然状態の内径より小さい径の係合溝を周方向に設けた構成をとることができる。この場合は、コイルばねの上端部が係合突部を越えて係合溝に嵌るので、一層外れ難くなるが、その係合溝から外れる程度の力を加えて引っ張ると容易に外すことができる。
【００１１】
【発明の実施の形態】
以下、この発明の実施形態を添付図面に基づいて説明する。図１に示すように、実施形態の飲み口付き水筒は、真空二重容器でなる水筒本体１の肩部２から開口部３の範囲にわたりこれらの部分をカバーする肩部材４を嵌合一体化し、その肩部材４に栓５を着脱自在に螺合している。栓５は、肩部材４の外周部に嵌合された栓リング６と、その栓リング６の内側に嵌合された栓体７とにより構成される。
【００１２】
上記の栓リング６の下端部内周面にねじ条８が設けられ、肩部材４のねじ条９と螺合される。栓リング６の上端に開口１１が設けられ（図２参照）、その開口１１の後端部にヒンジ受け部１２が設けられる。上記開口１１の内周面に周方向のリブ１３が設けられるとともに、ヒンジ受け部１２下方の開口１１の内面下端に位置決め凹部１４が設けられる。また、ヒンジ受け部１２に半径方向の一対のガイド壁１５、１５が設けられる。
【００１３】
前記の栓体７の下端外周面には、図１、図２に示すようにパッキン１６が装着され、また上端面に開口１７を有する深いガイド凹部１８が設けられる。そのガイド凹部１８の下端に貫通部１９が設けられる。ガイド凹部１８はその中心線が栓５の前方に傾斜した状態に設けられることから、開口１７は図２に示すように、前方に傾斜している。また、下端の貫通部１９に近い内周部に段部２１が設けられ、その段部２１から上端の開口１７までの部分が若干大径に形成される。貫通部１９の内径面には対向一対のガイド用の切欠き部２２、２２が設けられる（図２参照）。また、開口１７の後端部に半径方向の一対のガイド壁２３，２３が設けられる。このガイド壁２３、２３は後述のように、前記栓リング６のガイド壁１５、１５と突き合され、ロックボタン２４のガイド部２５を構成する。また、開口１７の外周部下方において水平の上端面２６が設けられ、さらに、その上端面２６の下方の外周面に中間段部２７が設けられる。
【００１４】
上記の栓体７は栓リング６の下方から挿入され、栓リング６の開口１１に栓体７の上端部を差し込むとともに、その上端面２６の外周面をリブ１３に若干の抵抗をもって嵌合させる。即ち、スナップフィットさせる。また、これと同時に、中間段部２７が開口１１の下端面に対向して、上方への抜け出しを防止して上下方向の位置決めを行う。また、前記のガイド部２５下方に設けた位置決め突片２８（図１、図２参照）を、開口１１の位置決め凹部１４に嵌合させ、栓体７の周方向の位置決めを行う。
【００１５】
上記栓体７のガイド凹部１８に飲み口部材３１が上下方向にスライド可能に挿通される。飲み口部材３１はパイプ状の部材で形成され、図３（ａ）（ｂ）に示すように、中間部につば３２が設けられ、そのつば３２とその下部に設けたばね受け部３３との間にパッキン３４が嵌合される。そのつば３２から上端までの間が飲み口３５となる。また、ばね受け部３３の下部にコイルばね３６上端部の係合突部３７が設けられる。つば３２とパッキン３４は段部２１より上部のガイド凹部１８の大径部に収納され、つば３２が飲み口部材３１のスライドを案内する。パッキン３４は、飲み口部材３１が下端位置にある場合において段部２１上に密着しシールを図る。
【００１６】
上記係合突部３７の下方に、飲み口部材３１の上下動ストロークより若干長い案内部３８が設けられ、さらにその案内部３８の下部にねじ部３９、そのねじ部３９の下部にチューブ接続部４１が設けられる。上記の案内部３８には、その全長にわたり対向一対のガイドリブ４２、４２が設けられる。このガイドリブ４２、４２は、ガイド凹部１８下端の貫通部１９に設けられた前記の切欠き部２２、２２（図２参照）嵌合され、これにより飲み口部材３１の中心線周りの回り止めが図られる。
【００１７】
上記の案内部３８の周りに前記のコイルばね３６が嵌合される。コイルばね３６の内径は、その自然な状態で前記のガイドリブ４２、４２を含む案内部３８の外径より大に形成され、コイルばね３６は案内部３８の長さ方向に自由に移動することができる。前記の係合突部３７は、図４（ｂ）に示すように、全周で２ヶ所、同図（ｃ）に示すように、全周で４ケ所等複数ケ所に設けられる。また、同図（ｄ）に示すように、全周に渡り設けられる場合もある。いずれの場合もその係合突部３７の突出部分を含む外径は、コイルばね３６の自然状態の内径より若干大径に形成される。従って、コイルばね３６の上端部を弾性的に拡径させることにより、その係合突部３７の周りに係合させる（図４（ａ）参照）。
【００１８】
なお、図５に示すように、ばね受け部３３と係合突部３７との間に係合溝４３を設け、コイルばね３６の最上端部をこの係合溝４３に嵌合させるようにしてもよい。
【００１９】
上記のコイルばね３６は、その下端部を貫通部１９に係合させることにより、飲み口部材３１に上向きの付勢力を与え上方にスライドさせるが、そのスライドストロークの上限を定めるためのストッパーとしてナット４４が前記のねじ部３９に螺合される。また、前記の接続口４１に柔軟なチューブ４５の上端が差し込まれる。チューブ４５の下端部は、図１に示すように、水筒本体１の内壁に接触してわん曲され下端部が底面に達する。これにより飲み口部材３１が水筒本体１の内部に連通される。
【００２０】
前述のヒンジ受け部１２に回動自在に取付けられた蓋４６は、栓５の上部を閉鎖すると同時にその内面に装着したシール部材４７により飲み口３５の上端面を押し込み、コイルばね３６を圧縮させつつパッキン３４が段部１５に当たるまで、即ち飲み口部材３１のスライドストロークの下限まで押し込む。蓋４６を閉鎖状態にロックするために前述のロックボタン２４がガイド部２５に挿入される。ロックボタン２４は、その先端上部にロック爪４８が設けられるとともに、コイルばね４９により外向きに付勢される。ロックボタン２４が押し込まれると、ロック爪４８が蓋４６の係合部４９に係合され、蓋４６を閉鎖状態にロックする（図１の実線の状態参照）。このロックボタン２４をさらに押し込むとロックが解除され、蓋４６は飲み口部材３１を上向きに押上げるコイルばね３６の付勢力により押し開かれ、開放される（図１の二点鎖線参照）。
【００２１】
実施形態の飲み口付き水筒は以上のようなものであり、これを分解洗浄する場合は、蓋４６を開けて栓５を肩部材４から外し、その栓５を栓リング６と栓体７に分解するとともに、チューブ４５、ストッパー４４を外して飲み口部材３１をガイド凹部１８から抜き出す。このとき、コイルばね３６はその上端部が、図４の場合は係合突部３７に所要の弾力で係合保持され、また図５の場合は係合溝４３に係合されているため、飲み口部材３１から外れることなく飲み口部材３１とともに抜き出される。抜き出したのちにコイルばね３６を外す場合は、前記の係合が外れる程度の力を加えて引っ張ることにより、コイルばね３６の上端部が一時的に若干拡径して係合が外れる。組み立てるときは、上記と逆の手順による。
【００２２】
【発明の効果】
以上のように、この発明は飲み口部材に上向きの付勢力を付与するコイルばねの上端部を該飲み口部材に設けた係合突部に係合させたことにより、栓の分解洗浄時にそのコイルばねが容易に外れることがなく、従って、当該コイルばねの紛失を防ぐことができる。また、そのコイルばねを外す必要があるときは、その係合が外れる程度の力で引っ張るだけで簡単に外すことができ、また簡単に再装着することができる。
【図面の簡単な説明】
【図１】実施形態の断面図
【図２】同上の一部分解斜視図
【図３】（ａ）同上の飲み口部材の正面図
（ｂ）（ａ）図の断面図
【図４】（ａ）同上の飲み口部材部分の一部拡大縦断面図
（ｂ）から（ｄ）同上の飲み口部材部分の一部拡大横断面図
【図５】同上の飲み口部材の他の例の一部拡大縦断面図
【符号の説明】
１　水筒本体
２　肩部
３　開口部
４　肩部材
５　栓
６　栓リング
７　栓体
８　ねじ条
９　ねじ条
１１　開口
１２　ヒンジ受け部
１３　リブ
１４　位置決め凹部
１５　ガイド壁
１６　パッキン
１７　開口
１８　ガイド凹部
１９　貫通部
２１　段部
２２　切欠き部
２３　ガイド壁
２４　ロックボタン
２５　ガイド部
２６　上端面
２７　中間段部
２８　位置決め突片
３１　飲み口部材
３２　つば
３４　パッキン
３５　飲み口
３６　コイルばね
３７　係合突部
３８　案内部
３９　ねじ部
４１　接続口
４２　ガイドリブ
４３　係合溝
４４　ナット
４５　チューブ
４６　蓋
４７　シール部材
４８　ロック爪
４９　係合部
【図１】
2004097479.tif 000003
【図２】
2004097479.tif 000004
【図３】
2004097479.tif 000005
【図４】
2004097479.tif 000006
【図５】
2004097479.tif 000007